【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】  ASTM D1003に従って測定して、５％より小さいヘイズ値を有し、且つ：
(a) 溶融状態からの結晶化半時間が少なくとも５分のポリエステル、
(b) (i) 18より多い炭素原子を含む脂肪酸もしくは脂肪酸塩及び(ii) 18より多い炭素原子を含む脂肪酸と炭素原子２〜28を含むアルコールとのエステルワックスを含む添加剤であって、脂肪酸もしくは脂肪酸塩：エステルワックスの比が１：１もしくはそれ以上である添加剤、
を含むポリエステル樹脂組成物を含有してなる圧延フィルム又はシート。
【請求項２】  ポリエステルの溶融状態からの結晶化半時間が少なくとも12分である請求項１に記載の圧延フィルム又はシート。
【請求項３】  ポリエステルが(i) テレフタル酸、ナフタレンジカルボン酸、1,4-シクロヘキサンジカルボン酸、イソフタル酸及びそれらの混合物から選ばれる二酸残基成分少なくとも80モル％並びに(ii) 炭素原子２〜10を含むジオール及びそれらの混合物から選ばれるジオール残基成分少なくとも80モル％（ここで、前記二酸残基成分は100モル％に基づくものであり、そして前記ジオール残基成分は100モル％に基づくものである）を含む請求項１に記載の圧延フィルム又はシート。
【請求項４】  ポリエステルが(i) 二酸残基成分であるテレフタル酸少なくとも90モル％並びに(ii) 1,4-シクロヘキサンジメタノール10〜40モル％及びエチレングリコール60〜90モル％を含むジオール残基成分を含む請求項３に記載の圧延フィルム又はシート。
【請求項５】  添加剤が、ポリエステルの合計重量％に基づき、0.1〜10重量％の量で存在する請求項１に記載の圧延フィルム又はシート。
【請求項６】  添加剤が0.1〜２重量％の量で存在する請求項５に記載の圧延フィルム又はシート。
【請求項７】  脂肪酸がモンタン酸である請求項１に記載の圧延フィルム又はシート。
【請求項８】  脂肪酸塩がモンタン酸のナトリウム塩、モンタン酸のカルシウム塩及びモンタン酸のリチウム塩よりなる群から選ばれる請求項１に記載の圧延フィルム又はシート。
【請求項９】  エステルワックスの脂肪酸がモンタン酸である請求項１に記載の圧延フィルム又はシート。
【請求項１０】  エステルワックスのアルコールがモンタニルアルコール、エチレングリコール、ブチレングリコール、グリセロール及びペンタエリトリトールよりなる群から選ばれる請求項９に記載の圧延フィルム又はシート。
【請求項１１】  添加剤がモンタン酸及びモンタン酸のブチレングリコールエステルを含む請求項１に記載の圧延フィルム又はシート。
【請求項１２】  モンタン酸のブチレングリコールエステルが水酸化カルシウムで部分鹸化されている請求項１１に記載の圧延フィルム又はシート。
【請求項１３】  添加剤がモンタン酸及びモンタン酸のグリセロールエステルを含む請求項１に記載の圧延フィルム又はシート。
【請求項１４】  添加剤がモンタン酸及びモンタン酸のペンタエリスリトールエステルを含む請求項１に記載の圧延フィルム又はシート。
【請求項１５】  モンタン酸のペンタエリスリトールエステルがアジピン酸を更に含む請求項１４に記載の圧延フィルム又はシート。
【請求項１６】  添加剤がモンタン酸塩及びモンタン酸のブチレングリコールエステルを含む請求項１に記載の圧延フィルム又はシート。
【請求項１７】  モンタン酸のブチレングリコールエステルが水酸化カルシウムで部分鹸化されている請求項１６に記載の圧延フィルム又はシート。
【請求項１８】  添加剤がモンタン酸塩及びモンタン酸のグリセロールエステルを含む請求項１に記載の圧延フィルム又はシート。
【請求項１９】  添加剤がモンタン酸塩及びモンタン酸のペンタエリスリトールエステルを含む請求項１に記載の圧延フィルム又はシート。
【請求項２０】  モンタン酸のペンタエリスリトールエステルがアジピン酸を更に含む請求項１９に記載の圧延フィルム又はシート。
【請求項２１】  前記比が２：１又はそれ以上である請求項１に記載の圧延フィルム又はシート。
【請求項２２】  ５％より小さいヘイズ値を有し、且つ：
(a) (i) 二酸残基成分であるテレフタル酸少なくとも90モル％並びに(ii) 1,4-シクロヘキサンジメタノール10〜40モル％及びエチレングリコール60〜90モル％を含むジオール残基成分を含んでなるポリエステル、
(b) (i) モンタン酸もしくはモンタン酸塩及び(ii) モンタニルアルコール、エチレングリコール、ブチレングリコール、グリセロール及びペンタエリスリトールを含むモンタン酸エステルワックスを含有する添加剤であって、モンタン酸もしくはモンタン酸塩：エステルワックスの比が１：１もしくはそれ以上である添加剤２重量％以下（ここで、添加剤の重量％はポリエステル樹脂組成物の合計重量％に基づく）；
を含むポリエステル樹脂組成物を含んでなる圧延フィルム又はシート。
【請求項２３】   (a) 溶融状態からの結晶化半時間が少なくとも５分のポリエステル、
(b) 18より多い炭素原子を含む脂肪酸もしくは脂肪酸塩及び18より多い炭素原子を含む脂肪酸と炭素原子２〜28を含むアルコールとのエステルワックスを含む添加剤であって、脂肪酸もしくは脂肪酸塩：エステルワックスの比が１：１もしくはそれ以上である添加剤、
を含有してなり、ポリエステル樹脂組成物を圧延する工程を含む方法により製造される、５％より小さいヘイズ値を有する圧延フィルム又はシート。
【請求項２４】   (1) (a) 溶融状態からの結晶化半時間が少なくとも５分のポリエステル、
(b) 18より多い炭素原子を含む脂肪酸もしくは脂肪酸塩及び18より多い炭素原子を含む脂肪酸と炭素原子２〜28を含むアルコールとのエステルワックスを含有する添加剤であって、脂肪酸もしくは脂肪酸塩：エステルワックスの比が１：１もしくはそれ以上である添加剤、
を含むポリエステル樹脂組成物を圧延し、
(2) カレンダーロール上にそのポリエステル樹脂組成物からフィルム又はシートを形成し、そして
(3) そのカレンダーロールから90゜より小さい角度でそのフィルム又はシートを取り出して５％より小さいヘイズ値を有するフィルム又はシートを形成すること、
を含んでなる、５％より小さいヘイズ値を有する圧延フィルム又はシートの製造方法。
【請求項２５】  ポリエステルが少なくとも12分の溶融状態からの結晶化半時間を有する請求項２４に記載の方法。
【請求項２６】  ポリエステルが(i) 二酸残基成分であるテレフタル酸少なくとも90モル％並びに(ii) 1,4-シクロヘキサンジメタノール10〜40モル％及びエチレングリコール60〜90モル％を含むジオール残基成分を含む請求項２４に記載の方法。
【請求項２７】  添加剤が、ポリエステルの合計重量％に基づき、0.1〜10重量％の量で存在する請求項２４に記載の方法。
【請求項２８】  添加剤が0.1〜２重量％存在する請求項２７に記載の方法。
【請求項２９】  前記比が２：１又はそれ以上である請求項２４に記載の方法。
【請求項３０】  添加剤がモンタン酸又はモンタン酸塩並びにモンタニルアルコール、エチレングリコール、ブチレングリコール、グリセロール及びペンタエリスリトールを含むモンタン酸エステルワックスを含む請求項２４に記載の方法。